【手続補正書】
【提出日】平成27年5月29日(2015.5.29)
【手続補正１】
【補正対象書類名】明細書
【補正対象項目名】０００６
【補正方法】変更
【補正の内容】
【０００６】
本発明は、サジェスト機能による文字列の提示をするか否かの設定を容易に変更するが可能な仕組みを提供することを目的とする。
【手続補正２】
【補正対象書類名】明細書
【補正対象項目名】０００７
【補正方法】変更
【補正の内容】
【０００７】
本発明の情報処理装置は、いずれの入力欄において、当該入力欄に入力された文字に応じて入力候補の文字列を提示するか、または当該入力候補の文字列を提示しないかを示す設定をする設定手段と、前記設定手段により前記入力された文字に応じて入力候補の文字列を提示する設定がされた前記入力欄に対して、文字の入力を受け付けた場合に、当該入力された文字に応じて入力候補の文字列を提示するサジェスト手段と、前記サジェスト手段によって提示された文字列が選択された場合に当該選択された文字列を前記入力欄に入力する文字列として決定する決定手段と、を備え、前記設定手段は、前記サジェスト手段によって提示された文字列が選択されずに所定の操作がなされた場合に、当該入力欄における前記設定を文字列の提示を行わない設定に更新することを特徴とする。
【手続補正３】
【補正対象書類名】明細書
【補正対象項目名】０００８
【補正方法】変更
【補正の内容】
【０００８】
本発明によれば、サジェスト機能による文字列の提示をするか否かの設定を容易に変更することが可能な仕組みを提供することが出来る。
【手続補正４】
【補正対象書類名】特許請求の範囲
【補正対象項目名】全文
【補正方法】変更
【補正の内容】
【特許請求の範囲】
【請求項１】
いずれの入力欄において、当該入力欄に入力された文字に応じて入力候補の文字列を提示するか、または当該入力候補の文字列を提示しないかを示す設定をする設定手段と、
前記設定手段により前記入力された文字に応じて入力候補の文字列を提示する設定がされた前記入力欄に対して、文字の入力を受け付けた場合に、当該入力された文字に応じて入力候補の文字列を提示するサジェスト手段と、
前記サジェスト手段によって提示された文字列が選択された場合に当該選択された文字列を前記入力欄に入力する文字列として決定する決定手段と、
を備え、
前記設定手段は、前記サジェスト手段によって提示された文字列が選択されずに所定の操作がなされた場合に、当該入力欄における前記設定を文字列の提示を行わない設定に更新することを特徴とする情報処理装置。
【請求項２】
前記設定手段は、前記所定の操作として前記サジェスト手段によって提示された文字列が削除された場合、または前記サジェスト手段によって提示された文字列が選択されないまま別の入力欄の指定がされた場合に、選択中の入力欄における前記設定を文字列の提示を行わない設定に更新することを特徴とする請求項１に記載の情報処理装置。
【請求項３】
前記サジェスト手段によって提示された文字列が選択されなかった回数を記憶する第１の回数記憶手段
を更に備え、
前記設定手段は、前記第１の回数記憶手段に記憶されている前記提示された文字列が選択されなかった回数が所定の回数に達している入力欄の設定を前記文字列の提示を行わない設定に更新することを特徴とする請求項１又は２に記載の情報処理装置。
【請求項４】
前記第１の回数記憶手段は、前記サジェスト手段によって提示された文字列が選択されなかった連続回数を記憶し、
前記設定手段は、前記提示された文字列が選択されなかった連続回数が所定の回数に達している入力欄の設定を前記文字列の提示を行わない設定に更新することを特徴とする請求項３に記載の情報処理装置。
【請求項５】
前記第１の回数記憶手段は更に、前記サジェスト手段によって提示された文字列が選択されなかった回数を前記入力欄の属するライン毎に記憶し、
前記設定手段は、前記提示された文字列が選択されなかった入力欄の属するラインにおいて前記文字列が選択されなかった回数が所定の回数に達している場合に、当該ラインに属する入力欄における設定を前記文字列の提示を行わない設定に更新することを特徴とする請求項３又は４に記載の情報処理装置。
【請求項６】
前記第１の回数記憶手段は、入力欄が選択されてから入力欄の変更が行われるまでに前記サジェスト手段によって提示された文字列が削除された回数を、前記提示された文字列が選択されなかった回数１回分として記憶することを特徴とする請求項３乃至５のいずれか１項に記載の情報処理装置。
【請求項７】
前記サジェスト手段によって提示された文字列が選択された回数を、ライン毎に記憶する第２の回数記憶手段
を更に備え、
前記設定手段は、前記第２の回数記憶手段に記憶されている回数が所定の回数に達している場合に、前記ラインに属する入力欄における設定を、前記サジェスト手段による文字列の提示を行う設定に更新することを特徴とする請求項１乃至６のいずれか１項に記載の情報処理装置。
【請求項８】
前記第２の回数記憶手段は、前記サジェスト手段によって提示された文字列が選択された連続回数をライン毎に記憶し、
前記設定手段は、前記第２の回数記憶手段に記憶されている、ラインに対応する前記連続回数が所定の回数に達している場合に、当該ラインに属する入力欄における設定を、前記サジェスト手段による文字列の提示を行う設定に更新することを特徴とする請求項７に記載の情報処理装置。
【請求項９】
前記第２の回数記憶手段は、入力欄が選択されてから入力欄の変更が行われるまでに、前記サジェスト手段によって提示された文字列が選択された回数を１回として記憶することを特徴とする請求項７又は８に記載の情報処理装置。
【請求項１０】
前記入力欄に、前記サジェスト手段で文字列を提示する設定がされていることを示す表示をする印表示手段
を更に備えることを特徴とする請求項１乃至９のいずれか１項に記載の情報処理装置。
【請求項１１】
情報処理装置の制御方法であって、
設定手段が、いずれの入力欄において、当該入力欄に入力された文字に応じて入力候補の文字列を提示するか、または当該文字列を提示しないかを示す設定をする設定工程と、
サジェスト手段が、前記設定工程により前記入力された文字に応じて入力候補の文字列を提示する設定がされた前記入力欄に対して、文字の入力を受け付けた場合に、当該入力された文字に応じて入力候補の文字列を提示するサジェスト工程と、
決定手段が、前記サジェスト工程によって提示された文字列が選択された場合に当該選択された文字列を前記入力欄に入力する文字列として決定する決定工程と、
を含み、
前記設定工程は、前記サジェスト工程によって提示された文字列が選択されずに所定の操作がなされた場合に、当該入力欄における前記設定を文字列の提示を行わない設定に更新することを特徴とする情報処理装置の制御方法。
【請求項１２】
情報処理装置を、
いずれの入力欄において、当該入力欄に入力された文字に応じて入力候補の文字列を提示するか、または当該文字列を提示しないかを示す設定をする設定手段と、
前記設定手段により前記入力された文字に応じて入力候補の文字列を提示する設定がされた前記入力欄に対して、文字の入力を受け付けた場合に、当該入力された文字に応じて入力候補の文字列を提示するサジェスト手段と、
前記サジェスト手段によって提示された文字列が選択された場合に当該選択された文字列を前記入力欄に入力する文字列として決定する決定手段として機能させ、
前記設定手段は、前記サジェスト手段によって提示された文字列が選択されずに所定の操作がなされた場合に、当該入力欄における前記設定を文字列の提示を行わない設定に更新することを特徴とする情報処理装置のプログラム。